(57)【要約】【課題】誤判定を抑制することができる二次電池の検査方法を提供することである。【解決手段】本発明の一態様にかかる二次電池の検査方法は、被検対象である二次電池の内部抵抗を取得し（ステップＳ１）、被検対象である二次電池の充電前後の温度差を取得し（ステップＳ２、Ｓ４）、取得された内部抵抗および温度差と、予め求められた判別関数とに基づき被検対象である二次電池の良否判定を行う（ステップＳ５）。例えば、取得された内部抵抗および温度差のいずれか一方と判別関数とに基づき他方の良否判定基準を求め、他方の値と良否判定基準との比較結果に基づき良否判定を行なってもよい。【選択図】図２
2014130049.tif 000002
【特許請求の範囲】
【請求項１】
被検対象である二次電池の内部抵抗を取得し、
前記被検対象である二次電池の充電前後の温度差を取得し、
前記取得された内部抵抗および前記温度差と、予め求められた判別関数とに基づき前記被検対象である二次電池の良否判定を行う、
二次電池の検査方法。
【請求項２】
前記取得された内部抵抗および前記温度差のいずれか一方と前記判別関数とに基づき他方の良否判定基準を求め、
前記他方の値と前記良否判定基準との比較結果に基づき良否判定を行う、
請求項１に記載の二次電池の検査方法。
【請求項３】
所定の数のサンプル二次電池の内部抵抗と充電前後の温度差とを予め取得し、
前記サンプル二次電池を良品群と不良品群とに分類し、
良品群に分類された前記サンプル二次電池の内部抵抗と温度差との第１の分布と、不良品群に分類された前記サンプル二次電池の内部抵抗と温度差との第２の分布とを用いて、前記判別関数を求める、
請求項１または２に記載の二次電池の検査方法。
【請求項４】
前記サンプル二次電池の前記内部抵抗をＸＲ、前記充電前後の温度差をＸΔＴとした場合、前記判別関数であるＺ＝ｆ（ＸＲ、ＸΔＴ）は以下の式で表される、請求項１乃至３のいずれか一項に記載の二次電池の検査方法。ただし、ａ、ｂ、ｃ、ｄ、ｅ、ｆは係数である。
Ｚ＝ｆ（ＸＲ、ＸΔＴ）＝ａ×ＸＲ２＋ｂ×ＸΔＴ２＋ｃ×ＸＲ×ＸΔＴ＋ｄ×ＸＲ＋ｅ×ＸΔＴ＋ｆ
【請求項５】
前記被検対象である二次電池の内部抵抗および温度差を前記判別関数Ｚ＝ｆ（ＸＲ、ＸΔＴ）に代入してマハラノビス距離Ｚを求め、当該マハラノビス距離Ｚが０以上（Ｚ≧０）であれば良品と判定する、請求項４に記載の二次電池の検査方法。
【請求項６】
被検対象である二次電池の内部抵抗を測定する抵抗測定部と、
前記被検対象である二次電池の充電前後の温度差を算出する温度差算出部と、
前記取得された内部抵抗および前記温度差と、予め求められた判別関数とに基づき前記被検対象である二次電池の良否判定を行う判定部と、を備える、
二次電池の検査装置。
【請求項７】
前記判定部は、
前記取得された内部抵抗および前記温度差のいずれか一方と前記判別関数とに基づき他方の良否判定基準を求め、
前記他方の値と前記良否判定基準との比較結果に基づき良否判定を行う、
請求項６に記載の二次電池の検査装置。
【請求項８】
所定の数のサンプル二次電池の内部抵抗と充電前後の温度差とを予め取得し、
前記サンプル二次電池を良品群と不良品群とに分類し、
良品群に分類された前記サンプル二次電池の内部抵抗と温度差との第１の分布と、不良品群に分類された前記サンプル二次電池の内部抵抗と温度差との第２の分布とを用いて、前記判別関数を求める、
請求項６または７に記載の二次電池の検査装置。
【請求項９】
前記サンプル二次電池の前記内部抵抗をＸＲ、前記充電前後の温度差をＸΔＴとした場合、前記判別関数であるＺ＝ｆ（ＸＲ、ＸΔＴ）は以下の式で表される、請求項６乃至８のいずれか一項に記載の二次電池の検査装置。ただし、ａ、ｂ、ｃ、ｄ、ｅ、ｆは係数である。
Ｚ＝ｆ（ＸＲ、ＸΔＴ）＝ａ×ＸＲ２＋ｂ×ＸΔＴ２＋ｃ×ＸＲ×ＸΔＴ＋ｄ×ＸＲ＋ｅ×ＸΔＴ＋ｆ
【請求項１０】
前記判定部は、前記被検対象である二次電池の内部抵抗および温度差を前記判別関数Ｚ＝ｆ（ＸＲ、ＸΔＴ）に代入してマハラノビス距離Ｚを求め、当該マハラノビス距離Ｚが０以上（Ｚ≧０）であれば良品と判定する、請求項９に記載の二次電池の検査装置。
【発明の詳細な説明】
【技術分野】
【０００１】
本発明は二次電池の検査方法および検査装置に関する。
【背景技術】
【０００２】
近年、リチウムイオン二次電池等の二次電池は、携帯電話や携帯パソコン等のモバイル機器や電気自動車やハイブリッド自動車等の様々な分野において用いられている。一般的に、二次電池は製造工程の最終段階で所定の検査が行われ、この検査において良品と判定されたものが出荷される。
【０００３】
特許文献１には、バッテリの検査装置を簡略化しながら確実な検査が遂行でき且つ検査費用を低減することができる技術が開示されている。特許文献１に開示されている検査装置では、バッテリを検査する際に接触させるピン治具に温度センサを設け、専用の温度センサピンを省略している。
【先行技術文献】
【特許文献】
【０００４】
【特許文献１】特開平１０−１８９０５９号公報
【発明の概要】
【発明が解決しようとする課題】
【０００５】
従来は、被検二次電池の充電前後の温度差ΔＴを用いて二次電池の良否判定を行っていた。しかしながら、二次電池の自己発熱量は二次電池の内部抵抗に依存するため、内部抵抗に起因する自己発熱量の違いにより二次電池の充電前後の温度差ΔＴが変化する場合があった。このため、充電前後の温度差ΔＴを用いて二次電池の良否判定を行うと誤判定をする場合があった。
【０００６】
すなわち、通常では充電前後の温度差ΔＴが小さい場合に不良品であると判定される。しかし、二次電池の初期温度が低く、二次電池の内部抵抗が小さい場合は、充電時の自己発熱量が小さくなり、良品であっても温度差ΔＴが小さくなり不良品であると判定される場合があった。
【０００７】
上記課題に鑑み本発明の目的は、誤判定を抑制することができる二次電池の検査方法および検査装置を提供することである。
【課題を解決するための手段】
【０００８】
本発明の一態様にかかる二次電池の検査方法は、被検対象である二次電池の内部抵抗を取得し、前記被検対象である二次電池の充電前後の温度差を取得し、前記取得された内部抵抗および前記温度差と、予め求められた判別関数とに基づき前記被検対象である二次電池の良否判定を行う、二次電池の検査方法である。
【０００９】
上記二次電池の検査方法において、前記取得された内部抵抗および前記温度差のいずれか一方と前記判別関数とに基づき他方の良否判定基準を求め、前記他方の値と前記良否判定基準との比較結果に基づき良否判定を行なってもよい。
【００１０】
上記二次電池の検査方法において、所定の数のサンプル二次電池の内部抵抗と充電前後の温度差とを予め取得し、前記サンプル二次電池を良品群と不良品群とに分類し、良品群に分類された前記サンプル二次電池の内部抵抗と温度差との第１の分布と、不良品群に分類された前記サンプル二次電池の内部抵抗と温度差との第２の分布とを用いて、前記判別関数を求めてもよい。
【００１１】
上記二次電池の検査方法において、前記サンプル二次電池の前記内部抵抗をＸＲ、前記充電前後の温度差をＸΔＴとした場合、前記判別関数であるＺ＝ｆ（ＸＲ、ＸΔＴ）は以下の式で表してもよい。ただし、ａ、ｂ、ｃ、ｄ、ｅ、ｆは係数である。
Ｚ＝ｆ（ＸＲ、ＸΔＴ）＝ａ×ＸＲ２＋ｂ×ＸΔＴ２＋ｃ×ＸＲ×ＸΔＴ＋ｄ×ＸＲ＋ｅ×ＸΔＴ＋ｆ
【００１２】
上記二次電池の検査方法において、前記被検対象である二次電池の内部抵抗および温度差を前記判別関数Ｚ＝ｆ（ＸＲ、ＸΔＴ）に代入してマハラノビス距離Ｚを求め、当該マハラノビス距離Ｚが０以上（Ｚ≧０）であれば良品と判定してもよい。
【００１３】
本発明の一態様にかかる二次電池の検査装置は、被検対象である二次電池の内部抵抗を測定する抵抗測定部と、前記被検対象である二次電池の充電前後の温度差を算出する温度差算出部と、前記取得された内部抵抗および前記温度差と、予め求められた判別関数とに基づき前記被検対象である二次電池の良否判定を行う判定部と、を備える。
【００１４】
上記二次電池の検査装置において、前記判定部は、前記取得された内部抵抗および前記温度差のいずれか一方と前記判別関数とに基づき他方の良否判定基準を求め、前記他方の値と前記良否判定基準との比較結果に基づき良否判定を行なってもよい。
【００１５】
上記二次電池の検査装置において、所定の数のサンプル二次電池の内部抵抗と充電前後の温度差とを予め取得し、前記サンプル二次電池を良品群と不良品群とに分類し、良品群に分類された前記サンプル二次電池の内部抵抗と温度差との第１の分布と、不良品群に分類された前記サンプル二次電池の内部抵抗と温度差との第２の分布とを用いて、前記判別関数を求めてもよい。
【００１６】
上記二次電池の検査装置において、前記サンプル二次電池の前記内部抵抗をＸＲ、前記充電前後の温度差をＸΔＴとした場合、前記判別関数であるＺ＝ｆ（ＸＲ、ＸΔＴ）は以下の式で表してもよい。ただし、ａ、ｂ、ｃ、ｄ、ｅ、ｆは係数である。
Ｚ＝ｆ（ＸＲ、ＸΔＴ）＝ａ×ＸＲ２＋ｂ×ＸΔＴ２＋ｃ×ＸＲ×ＸΔＴ＋ｄ×ＸＲ＋ｅ×ＸΔＴ＋ｆ
【００１７】
上記二次電池の検査装置において、前記判定部は、前記被検対象である二次電池の内部抵抗および温度差を前記判別関数Ｚ＝ｆ（ＸＲ、ＸΔＴ）に代入してマハラノビス距離Ｚを求め、当該マハラノビス距離Ｚが０以上（Ｚ≧０）であれば良品と判定してもよい。
【発明の効果】
【００１８】
本発明により、誤判定を抑制することができる二次電池の検査方法および検査装置を提供することができる。
【図面の簡単な説明】
【００１９】
【図１】実施の形態にかかる二次電池の検査装置を示すブロック図である。
【図２】実施の形態にかかる二次電池の検査装置の動作を説明するためのフローチャートである。
【図３】二次電池の内部抵抗と充電前後の温度差との関係を示す図である。
【図４】実施の形態にかかる二次電池（温度測定部を含む）の検査装置を示すブロック図である。
【図５】充電前後の温度差ΔＴを用いて良否判定を行った場合を説明するための図である。
【発明を実施するための形態】
【００２０】
以下、図面を参照して本発明の実施の形態について説明する。
図１は、本実施の形態にかかる二次電池の検査装置を示すブロック図である。図１に示すように、検査装置１０は、充電部１１、抵抗測定部１２、温度測定部１３、温度差算出部１４、および判定部１５を備える。検査装置１０は、被検対象である二次電池２１（以下、検査対象の二次電池を被検二次電池とも記載する）を検査する。本実施の形態において、被検二次電池２１は、例えばリチウムイオン二次電池である。
【００２１】
リチウムイオン二次電池は、正極活物質を担持した正電極板、負極活物質を担持した負電極板、正電極板および負電極板の間に介在するセパレータ、および非水電解液を備える。リチウムイオン二次電池は、例えば帯状の正電極板と帯状の負電極板とを帯状のセパレータを介して捲回した捲回状の電極体を備えるものや、複数の正電極板と複数の負電極板とを、セパレータを介して交互に積層した積層状の電極体を備えるものなどが挙げられる。
【００２２】
正極活物質は、リチウムを吸蔵・放出可能な材料であり、例えばコバルト酸リチウム（ＬｉＣｏＯ２）、マンガン酸リチウム（ＬｉＭｎ２Ｏ４）、ニッケル酸リチウム（ＬｉＮｉＯ２）およびこれらの混合物等を用いることができる。そして、アルミニウム等の正極集電体に正極活物質を塗布して乾燥することによって正電極板を作製することができる。負極活物質は、リチウムを吸蔵・放出可能な材料であり、例えば、黒鉛（グラファイト）等からなる粉末状の炭素材料を用いることができる。そして、銅等の負極集電体に負極活物質を塗布して乾燥することによって負電極板を作製することができる。
【００２３】
非水電解液の非水溶媒としては、プロピレンカーボネート（ＰＣ）、エチレンカーボネート（ＥＣ）、ジエチルカーボネート（ＤＥＣ）、ジメチルカーボネート（ＤＭＣ）、エチルメチルカーボネート（ＥＭＣ）等からなる群から選択された一種または二種以上の材料を用いることができる。また、非水電解液の支持塩としては、ＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等から選択される一種または二種以上のリチウム化合物（リチウム塩）を用いることができる。セパレータとしては、多孔性ポリエチレン膜、多孔性ポリオレフィン膜、および多孔性ポリ塩化ビニル膜等の多孔性ポリマー膜等を用いることができる。
【００２４】
なお、上記で説明したリチウムイオン二次電池は一例であり、本実施の形態にかかる発明は、上記以外の構成を備えるリチウムイオン二次電池にも適用することができる。更に、本実施の形態にかかる発明は、リチウムイオン二次電池以外の二次電池にも適宜、適用することができる。
【００２５】
充電部１１は、被検二次電池２１が所定のＳＯＣ（State Of Charge）となるまで充電する。
抵抗測定部１２は、被検二次電池２１の内部抵抗ＸＲを測定する。例えば、内部抵抗ＸＲは、直流抵抗（ＤＣ−ＩＲ）測定法を用いて測定することができる。つまり、被検二次電池２１の正極および負極をオープン状態からクローズ状態として所定の電流を流した際の電圧降下の値から、内部抵抗ＸＲを求めることができる。
【００２６】
温度測定部１３は、被検二次電池２１の充電前における温度Ｔ１および充電後における温度Ｔ２を測定する。被検二次電池２１の温度Ｔ１、Ｔ２は、例えば、サーミスタや熱電対を用いて測定することができる。
【００２７】
温度差算出部１４は、温度測定部１３で測定された被検二次電池２１の充電前における温度Ｔ１および充電後における温度Ｔ２の温度差ＸΔＴ（＝Ｔ２−Ｔ１）を算出する。
判定部１５は、抵抗測定部で測定された内部抵抗および温度差算出部で算出された温度差と、予め求められた判別関数とに基づき被検二次電池２１の良否判定を行う。良否判定の方法については後述する。
【００２８】
次に、図１に示す二次電池の検査装置１０の動作、つまり、二次電池の検査方法について説明する。図２は、本実施の形態にかかる二次電池の検査装置の動作を説明するためのフローチャートである。
【００２９】
図２に示すように、二次電池の検査を行う際、抵抗測定部１２は被検二次電池２１の内部抵抗ＸＲを測定する（ステップＳ１）。内部抵抗ＸＲは、例えば、直流抵抗（ＤＣ−ＩＲ）測定法を用いて測定することができる。
【００３０】
次に、温度測定部１３は、被検二次電池２１の充電前における温度Ｔ１を測定する（ステップＳ２）。被検二次電池２１の充電前における温度Ｔ１は、例えば、サーミスタや熱電対を用いて測定することができる。その後、充電部１１は、被検二次電池２１が所定のＳＯＣ（例えば、４０％〜６０％程度）となるまで充電する（ステップＳ３）。そして、被検二次電池２１を充電した後、温度測定部１３は、被検二次電池２１の充電後における温度Ｔ２を測定する（ステップＳ４）。温度差算出部１４は、温度測定部１３で測定された被検二次電池２１の充電前における温度Ｔ１および充電後における温度Ｔ２の温度差ＸΔＴ（＝Ｔ２−Ｔ１）を算出する。
【００３１】
次に、判定部１５は、被検二次電池２１の内部抵抗ＸＲと、充電前後の温度差ＸΔＴ（＝Ｔ２−Ｔ１）と、予め求められた判別関数とに基づき被検二次電池の良否判定を行う（ステップＳ５）。例えば、ステップＳ１で取得した内部抵抗ＸＲおよびステップＳ２、Ｓ４で取得した温度差ＸΔＴのいずれか一方と、予め求められた判別関数とに基づき他方の良否判定基準を求め、他方の値とこの良否判定基準との比較結果に基づき良否判定を行なってもよい。以下で、良否判定方法について詳細に説明する。
【００３２】
図３は、二次電池の内部抵抗と充電前後の温度差との関係を示す図である。本実施の形態では、所定の数のサンプル二次電池の内部抵抗ＸＲと充電前後の温度差ＸΔＴとを予め取得する。ここで、サンプル二次電池とは、良品と不良品とを判別するための基準である判別関数を求めるためのサンプルであり、被検二次電池２１と区別するためにサンプル二次電池と表現している。
【００３３】
そして、図３に示すように、所定の数ｎ（ｎは正の整数）のサンプル二次電池の内部抵抗ＸＲと充電前後の温度差ＸΔＴとを、内部抵抗ＸＲと充電前後の温度差ＸΔＴとで表される二次元の座標にプロットする。例えばｎ個目のサンプル二次電池の内部抵抗をＸＲｎ、充電前後の温度差をＸΔＴｎとすると、１個目のサンプル二次電池の内部抵抗と充電前後の温度差は（ＸＲ１、ＸΔＴ１）、２個目のサンプル二次電池の内部抵抗と充電前後の温度差は（ＸＲ２、ＸΔＴ２）、３個目のサンプル二次電池の内部抵抗と充電前後の温度差は（ＸＲ３、ＸΔＴ３）、・・・、となり、これらを二次元の座標にプロットする。つまり、（ＸＲ１、ＸΔＴ１）、（ＸＲ２、ＸΔＴ２）、（ＸＲ３、ＸΔＴ３）、・・・、（ＸＲｎ、ＸΔＴｎ）が、図３の座標に示される各々の点に対応している。
【００３４】
その後、ｎ個のサンプル二次電池を良品群と不良品群とに分類する。そして、良品群に分類されたサンプル二次電池の内部抵抗と温度差との分布１（第１の分布）と、不良品群に分類されたサンプル二次電池の内部抵抗と温度差との分布２（第２の分布）とに統計的手法を適用して判別関数を求める。
【００３５】
具体的には、判別関数Ｚ＝ｆ（ＸＲ、ＸΔＴ）は以下の式で表される。
【００３６】
Ｚ＝ｆ（ＸＲ、ＸΔＴ）＝ａ×ＸＲ２＋ｂ×ＸΔＴ２＋ｃ×ＸＲ×ＸΔＴ＋ｄ×ＸＲ＋ｅ×ＸΔＴ＋ｆ  ・・・式１
【００３７】
ここで、ａ、ｂ、ｃ、ｄ、ｅ、ｆは係数であり、予め取得されたサンプル二次電池の内部抵抗と充電前後の温度差と上記式とを用いて求められる。
【００３８】
このとき、図３に示す境界線３は、Ｚ＝０を満たす内部抵抗と温度差（ＸＲ、ＸΔＴ）の集合として表すことができる。
【００３９】
そして、本実施の形態にかかる二次電池の検査方法では、被検二次電池の内部抵抗および温度差が、境界線３よりも分布１側にある場合に、被検二次電池を良品と判定している。換言すると、取得した被検二次電池の内部抵抗および温度差を上記式１に代入することで得られるマハラノビス距離Ｚが０以上（Ｚ≧０）であれば良品と判定することができる。
【００４０】
従来は、被検二次電池の充電前後の温度差ΔＴ（＝Ｔ２−Ｔ１）を用いて二次電池の良否判定を行っていた。しかしながら、二次電池の自己発熱量は二次電池の内部抵抗に依存するため、内部抵抗に起因する自己発熱量の違いにより二次電池の充電前後の温度差ΔＴが変化する場合があった。このため、充電前後の温度差ΔＴを用いて二次電池の良否判定を行うと誤判定をする場合があった。
【００４１】
すなわち、通常では充電前後の温度差ΔＴが小さい場合に不良品であると判定される。しかし、二次電池の初期温度が低く、二次電池の内部抵抗が小さい場合は、充電時の自己発熱量が小さくなり、良品であっても温度差ΔＴが小さくなり不良品であると判定される場合があった。
【００４２】
より詳細に説明すると、二次電池（リチウムイオン二次電池）には、次の２つの特性がある。つまり、充電時の自己発熱量Ｑが二次電池の内部抵抗Ｒに比例する（Ｑ∝Ｒ）という特性Ａと、二次電池の内部抵抗Ｒが電池温度Ｔに比例するという特性Ｂ（Ｒ∝Ｔ）とがある。そしてこの特性Ａと特性Ｂとから、充電時の自己発熱量Ｑが電池温度Ｔに比例するという特性（Ｑ∝Ｔ）を導くことができる。
【００４３】
つまり、この特性（Ｑ∝Ｔ）から、二次電池の初期温度が低く、二次電池の内部抵抗が小さい場合は、充電時の自己発熱量が小さくなり、充電後の電池温度が低くなるといえる。よって、被検二次電池の充電前後の温度差ΔＴを用いて良否判定を行うと、本来なら良品であると判定される二次電池も、内部抵抗が小さいために自己発熱量が小さく、充電前後の温度差ΔＴが小さくなり、不良品であると判定される場合がある。
【００４４】
図５は、充電前後の温度差ΔＴを用いて良否判定を行った場合を説明するための図である。図５に示すように、充電前後の温度差ΔＴを用いて良否判定を行う場合は、所定の数のサンプル二次電池の充電前後の温度差ΔＴを予め求め、良品群の温度差ΔＴの正規分布を予め求める。
【００４５】
そして、被検二次電池の良否判定を行う際は、被検二次電池の充電前後の温度差ΔＴを求め、この求めた温度差ΔＴが平均値ｘ（符号３１で示す）の±３σの範囲内であれば良品と判定することができる。
【００４６】
一方、図５に示すように、不良品と判定される充電前後の温度差ΔＴの範囲（符号３２で示す）の一部は、良品と判定される範囲の一部と重なる（符号３３で示す）。つまり、充電前後の温度差ΔＴの下限値（ｘ−３σ）の近傍では、不良品と判定される温度差ΔＴの範囲と重複する。この重複範囲（符号３３で示す）が上記で説明した、「本来なら良品であると判定される二次電池であっても、内部抵抗が小さいために自己発熱量が小さく、充電前後の温度差ΔＴが小さくなり、不良品であると判定される範囲」に対応している。
【００４７】
このように、被検二次電池の充電前後の温度差ΔＴを用いて二次電池の良否判定を行った場合は、本来なら良品であると判定される二次電池であっても、不良品であると判定される場合があった。
【００４８】
そこで本実施の形態にかかる発明では、被検対象である二次電池の内部抵抗を取得し、被検対象である二次電池の充電前後の温度差を取得し、取得された内部抵抗および温度差と、予め求められた判別関数とに基づき被検対象である二次電池の良否判定を行っている。
【００４９】
このように本実施の形態にかかる発明では、被検対象である二次電池の充電前後の温度差に加えて、被検対象である二次電池の内部抵抗を用いて良否判定を行っているので、二次電池の検査において誤判定を抑制することができる。
【００５０】
なお、上記で説明した二次電池の検査方法および検査装置は、二次電池単体の検査に用いてもよく、また、二次電池単体と温度測定部（サーミスタ等）とを備える二次電池（つまり、二次電池パック）の検査に用いてもよい。上記検査方法および検査装置を二次電池単体に用いた場合は、二次電池単体の良否判定を行うことができる。
【００５１】
また、上記で説明した検査方法および検査装置を二次電池パックの検査に用いる場合は、例えば二次電池単体と温度測定部は予め良品であると判定されたものを使用する。そして、二次電池単体と温度測定部とを組み立てた二次電池パックを、上記検査方法を用いて検査することで、二次電池単体と温度測定部との組み立て不良を検査することができる。ここで組み立て不良とは、例えば温度測定部が二次電池単体に適切に取り付けられていない場合（接点不良）や、組み立て時に温度測定部が破損した場合などに発生する不良である。
【００５２】
なお、上記で説明した検査方法および検査装置を、二次電池単体と温度測定部とを備える二次電池（つまり、二次電池パック）の検査に用いる場合、検査装置の構成は図４に示す様になる。
【００５３】
図４は、二次電池単体と温度測定部とを備える二次電池（つまり、二次電池パック）の検査装置を示すブロック図である。図４に示すように、検査装置１０'は、充電部１１、抵抗測定部１２、温度差算出部１４、および判定部１５を備える。ここで、充電部１１、抵抗測定部１２、温度差算出部１４、および判定部１５の構成および動作については、図１に示した二次電池の検査装置１０と同様であるので、重複した説明は省略する。
【００５４】
図４に示すように、二次電池２１'は、二次電池単体２２と温度測定部２３とを備える。つまり、二次電池２１'は、二次電池単体２２に温度測定部２３が取り付けられている電池パックである。温度測定部２３は、二次電池単体２２の充電前における温度Ｔ１および充電後における温度Ｔ２を測定する。温度測定部２３は、例えば、サーミスタや熱電対である。温度測定部２３で測定された温度情報は温度差算出部１４に出力される。
【００５５】
これ以外の構成および動作は、図１および図２に示した二次電池の検査装置および検査方法と同様であるので重複した説明は省略する。
【００５６】
以上、本発明を上記実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００５７】
１  第１の分布（良品群）
２  第２の分布（不良品群）
３  境界線
１０、１０'  検査装置
１１  充電部
１２  抵抗測定部
１３、２３  温度測定部
１４  温度差算出部
１５  判定部
２１、２１'  二次電池
２２  二次電池単体
２３  温度測定部
【図１】
2014130049.tif 000003
【図２】
2014130049.tif 000004
【図３】
2014130049.tif 000005
【図４】
2014130049.tif 000006
【図５】
2014130049.tif 000007